(57)【要約】【課題】真券でない又は疑わしいと判別された貨幣に関する詳細な情報を得ると共に、その紙幣を使用したＡＴＭの利用者を追跡するために貨幣情報を蓄積する。【解決手段】貨幣の真偽判別及び金種判別を行う鑑別ユニットと、鑑別ユニットで真貨幣であると判別された貨幣を一時保持する第１のスタッカと、鑑別ユニットで、真ではない又は疑わしいと判別された貨幣を一時保持する第２のスタッカと、利用者に固有の個人情報とその利用者によって投入された貨幣の情報とを対応付けて記憶する記憶装置とを有するＡＴＭのような貨幣取引装置である。第２のスタッカに保持された貨幣は、条件を変えて鑑別ユニットで再度判別されるが、例えば通常の取引における貨幣の搬送速度よりも遅い速度で貨幣を搬送して、鑑別ユニットで貨幣の詳細な鑑別情報を得る。鑑別ユニットで真でない又は疑わしいと判別された貨幣については、その貨幣の情報と利用者の個人情報例えば口座番号とを対応付けて記憶装置に記憶する。【選択図】図２
2004295782.tif 000002
【特許請求の範囲】
【請求項１】
貨幣の真偽判別及び金種判別を行う鑑別ユニットと、該鑑別ユニットで真貨幣であると判別された貨幣を一時保持する第１のスタッカと、該鑑別ユニットで、真ではないと判別された貨幣又は疑わしいと判別された貨幣を一時保持する第２のスタッカと、利用者に固有の個人情報とその利用者によって投入された貨幣の情報とを対応付けて記憶する記憶装置と、を有することを特徴とする貨幣取引装置。
【請求項２】
第２のスタッカに保持された貨幣を、通常の取引時における貨幣の搬送速度よりも遅い速度で搬送する搬送機構を有し、該鑑別ユニットで再び該貨幣の鑑別を行って該貨幣の鑑別情報を得ることを特徴とする請求項１記載の貨幣取引装置。
【請求項３】
第２のスタッカから取り出された貨幣の姿勢を変える姿勢変換機構を有し、該姿勢変換機構で姿勢を変えた状態の貨幣の鑑別を該鑑別ユニットで再び行い、該貨幣の鑑別情報を得ることを特徴とする請求項１に記載の貨幣取引装置。
【請求項４】
第２のスタッカから取り出された紙幣を、該鑑別ユニットの付近で複数回往復させる往復機構を有し、該往復機構によって往復搬送される貨幣の鑑別を該鑑別ユニットで行い、該貨幣の鑑別情報を複数回にわたって取得することを特徴とする請求項１に記載の貨幣取引装置。
【請求項５】
前記記憶装置は、該鑑別ユニットで真でない又は疑わしいと判別された貨幣についてその貨幣の情報と利用者の個人情報とを対応付けて記憶することを特徴とする請求項１に記載の貨幣取引装置。
【請求項６】
該貨幣取引装置は、利用者による該貨幣取引装置の操作を案内するための操作画面の表示装置を備え、該表示装置は、該鑑別ユニットで貨幣として認識できなかったものに関しては利用者に返却する旨を表示し、該鑑別ユニットで真ではない又は疑わしいと判別されたものに関しては、装置に受取られた旨を表示することを特徴とする請求項１に記載の貨幣取引装置。
【請求項７】
紙幣の鑑別ユニットを用いて少なくとも紙幣の真偽判別を行う第１の鑑別モードと、
該第１の鑑別モードで、真ではないと判別されたもの又は疑わしいと判別されたものを一時保持するステップと、
該第１の鑑別モードで真であると判別された紙幣を出金用として使用するために所定のカセットに収納するステップと、
該第１の鑑別モードで真でない又は疑わしいと判別された紙幣を、再び鑑別ユニットに送り、鑑別の条件を変えて鑑別する第２の鑑別モードと、
を有することを特徴とする紙幣の鑑別処理方法。
【請求項８】
第２の鑑別モードで真でないと判別された紙幣の情報とその紙幣の利用者に固有の情報を関連付けて記憶装置に記憶することを特徴とする請求項７記載の紙幣の処理方法。
【請求項９】
第２の鑑別モードでは、鑑別ユニットにおける紙幣の搬送速度を第１の鑑別モード時よりも遅い速度で搬送して鑑別を行うことを特徴とする請求項７記載の紙幣の処理方法。
【請求項１０】
第２の鑑別モードでは、紙幣の姿勢変換機構で紙幣の姿勢を変えた状態の紙幣を鑑別ユニットに送り、該鑑別ユニットで再び鑑別を行うことを特徴とする請求項７記載の紙幣の処理方法。
【請求項１１】
利用者に固有の情報として利用者の口座番号を用いることを特徴とする請求項７記載の紙幣の処理方法。
【請求項１２】
該鑑別ユニットで紙幣として認識できなかったものに関しては利用者に返却する趣旨を表示画面に表示し、該鑑別ユニットで真ではない又は疑わしいと判別されたものに関しては、装置に受取られた趣旨を表示画面に表示することを特徴とする請求項７記載の紙幣の処理方法。
【請求項１３】
利用者に固有の情報を含む媒体を用いて利用者の操作により取引される紙幣の真偽の鑑別を行う鑑別ユニットを有する複数の紙幣取引装置と、該複数の紙幣取引装置との間で情報の交換がなされ、利用者の預金情報の管理をする記憶装置を有するセンタからなり、該記憶装置は、利用者毎に預金残高を記憶する第１エリアと、該鑑別ユニットで真ではない又は疑わしいと判別された紙幣の鑑別結果に関する情報をその紙幣を預入れた利用者の固有の情報に対応付けて記憶する第２エリアとを有することを特徴とする紙幣情報の管理システム。
【請求項１４】
前記第２のエリアには、利用者が利用した日時の情報、その利用された紙幣取引装置毎に固有の情報、鑑別ユニットで判別された紙幣を特定する情報を記憶することを特徴とする請求項１３記載の紙幣情報の管理システム。
【請求項１５】
該記憶装置は、更に前記鑑別ユニットから取得された紙幣の画像情報を格納する第３のエリアを有し、該第３のエリアに格納される紙幣の画像情報と、該第２のエリアに格納される紙幣の情報とは関連付ける特定の情報を第２のエリアに記憶することを特徴とする請求項１３記載の紙幣情報の管理システム。
【請求項１６】
利用者が取引媒体を用いてＡＴＭで現金の預入れを行うときの紙幣に関する情報を扱う方法において、
利用者が預入れる紙幣の真偽を、鑑別ユニットで判別するステップと、
該鑑別ユニットにおける判別で、真でない又は疑わしいと判別された紙幣の鑑別結果に関する情報を、利用者の所持する取引媒体に固有の情報と共に記憶装置に記憶するステップと、
真でない又は疑わしいと判別された該紙幣に関する情報を中央銀行に送るステップと、
中央銀行で行われた該紙幣の判別結果を、該記憶装置の該紙幣に対応する場所に記憶するステップと、
を有する紙幣情報の管理方法。
【請求項１７】
前記記憶ステップは、該紙幣が預入れられたＡＴＭを特定する情報と共に紙幣の判別結果の情報を記憶装置に記憶することを特徴とする請求項１６記載の紙幣情報の管理方法。
【請求項１８】
中央銀行で、真でないと判別された紙幣に関して、該記憶装置を参照して該紙幣が扱われたＡＴＭを特定するステップと、
特定されたＡＴＭに該紙幣を預入れ、鑑別ユニットで該紙幣の鑑別を行って紙幣に関する情報を得るステップ
を更に有する請求項１７記載の紙幣情報の管理方法。
【発明の詳細な説明】
【０００１】
【発明の属する技術分野】
本発明は貨幣取引装置に係り、特にＡＴＭ（現金自動取引装置）や両替機などのように紙幣の預入れ機能を備える紙幣取引装置において、真券でないと判別される紙幣の取扱い、及びそれらの紙幣に関する情報とその利用者とを特定できる貨幣情報管理システムに関するものである。
【０００２】
【従来の技術】
ＡＴＭや両替機などの紙幣取引装置は鑑別部を備え、預入れられる紙幣の真偽を判別している。預入れられた紙幣が偽札即ち真券でないと判別された場合、その紙幣が本当に偽札であるかを確認するためにその紙幣を本来の紙幣（真券）とは別に取り扱うようにしたり、またその紙幣の利用者を突き止めて偽札の流通ルートを追跡することが重要である。
【０００３】
これに対処するために、従来例えば特開２０００−３２２６３２号公報（特許文献１）には、鑑別部における紙幣の鑑別の結果、偽と判明した場合、その装置を使用した利用者の指紋等の身体的特徴を当該紙幣の番号やタイムスタンプ等の情報と共にメモリに記憶しておき、それらの情報に基づいて利用者を追跡できるようにした技術が開示されている。
【０００４】
【特許文献１】
特開２０００−３２２６３２号公報
【０００５】
【発明が解決しようとする課題】
上記特許文献１に記載の技術では、メモリに記憶される指紋、及びタイムスタンプ、紙幣の番号等の情報は、貨幣の取扱装置の利用者を特定するための重要な証拠データとして保存される。しかし、貨幣取扱装置がそれらの証拠データに基づいて、どのように利用者を特定するかと言う紙幣追跡システムについては詳細に言及されていない。また、偽と判定された紙幣のその後の取扱いについても、特に詳述されていない。
【０００６】
本発明の目的は、真券でないと判別された紙幣に関して詳細な情報を得ることできる貨幣取引装置を提供することにある。
本発明の他の目的は、真券でない紙幣を使用した利用者を追跡するために紙幣に関する詳細な情報を得る紙幣情報システムを提供することにある。
【０００７】
【課題を解決するための手段】
本発明は、主として紙幣を含む貨幣の真偽判別及び金種判別を行う鑑別ユニットと、鑑別ユニットで真貨幣であると判別された貨幣を一時保持する第１のスタッカと、鑑別ユニットで、真ではないと判別された貨幣又は疑わしいと判別された貨幣を一時保持する第２のスタッカと、利用者に固有の個人情報とその利用者によって投入された貨幣の情報とを対応付けて記憶する記憶装置を有して構成される。
第２のスタッカに保持された貨幣に関して、鑑別ユニットでの鑑別の条件を変えて詳細な鑑別情報を得る。好ましい例では、第２のスタッカに保持された貨幣を、鑑別ユニットに、通常の取引時における貨幣の搬送速度よりも遅い速度で搬送する搬送機構を有し、遅い速度で搬送される貨幣の鑑別を鑑別ユニットで再び行って貨幣の鑑別情報を得る。他の例では、第２のスタッカから取り出された貨幣の姿勢を変える姿勢変換機構を有し、この姿勢変換機構で姿勢を変えた状態の貨幣の鑑別を鑑別ユニットで再び行い、貨幣の鑑別情報を得る。更に他の例では、第２のスタッカから取り出された紙幣に対して、鑑別ユニットの付近で複数回往復させる往復機構を有し、この往復機構によって往復搬送される貨幣の鑑別を鑑別ユニットで行い、貨幣の鑑別情報を複数回にわたって取得する。
好ましい例において、前記記憶装置は、該鑑別ユニットで真でない又は疑わしいと判別された貨幣についてその貨幣の情報と利用者の個人情報とを対応付けて記憶する。利用者に固有の情報としては利用者の口座番号を用いる。
更に他の好ましい例では、貨幣取引装置は、利用者による該貨幣取引装置の操作を案内するための操作画面の表示装置を備え、表示装置は、鑑別ユニットで、貨幣として認識できなかった貨幣に関しては利用者に返却する旨を表示し、一方鑑別ユニットで、真ではない又は疑わしいと判別された貨幣に関しては、装置に受取られた旨の表示をする。
【０００８】
本発明はまた見方を変えた紙幣の鑑別処理方法として把握され、この方法は、紙幣の鑑別ユニットを用いて少なくとも紙幣の真偽判別を行う第１の鑑別モードと、第１の鑑別モードで、真ではないと判別された紙幣又は疑わしいと判別された紙幣を一時保持するステップと、第１の鑑別モードで真であると判別された紙幣を出金用として使用するために所定のカセットに収納するステップと、第１の鑑別モードで真でない又は疑わしいと判別された紙幣を、再び鑑別ユニットに送り、鑑別の条件を変えて鑑別する第２の鑑別モードとを有する。
【０００９】
例えば、第２の鑑別モードで、真でないと判別された紙幣の情報とその紙幣の利用者に固有の情報を関連付けて記憶装置に記憶する。また、第２の鑑別モードでは、鑑別ユニットにおける紙幣の搬送速度を第１の鑑別モード時よりも遅い速度で搬送して鑑別を行う。また、鑑別ユニットで紙幣として認識できなかったものに関しては利用者に返却する旨を表示画面に表示し、鑑別ユニットで真ではない又は疑わしいと判別されたものに関しては、装置に受取られた旨を表示画面に表示する。
【００１０】
本発明による紙幣情報の管理システムは、利用者に固有の情報を含むキャッシュカードのような媒体を用いて利用者の操作により取引される紙幣の真偽の鑑別を行う鑑別ユニットを有する複数のＡＴＭの如き紙幣取引装置と、複数の紙幣取引装置との間で情報の交換がなされ、利用者の預金情報の管理をする記憶装置を有するセンタにより構成され、記憶装置は、利用者毎に預金残高を記憶する第１エリアと、鑑別ユニットで真でない又は疑わしいと判別された紙幣の鑑別結果に関する情報をその紙幣を預入れた利用者の固有の情報例えば口座番号に対応付けて記憶する第２エリアとを有する。
好ましい例では、第２のエリアには、利用者がＡＴＭを利用した日時、利用されたＡＴＭ毎に固有な情報、及びＡＴＭの鑑別ユニットで判別された紙幣を特定する情報例えば紙幣番号を記憶する。これにより、その紙幣を使用したＡＴＭ及び利用者が特定され得る。
記憶装置はまた鑑別ユニットから取得された紙幣の画像情報を格納する第３のエリアを有し、第３のエリアに格納される紙幣の画像情報と、第２のエリアに格納される紙幣の情報とは関連付ける特定の情報を第２のエリアに記憶する。
【００１１】
この管理システムにおいて実現される方法の発明としては、利用者が預入れる紙幣の真偽を、鑑別ユニットで判別するステップと、鑑別ユニットにおける判別で、真でない又は疑わしいと判別された紙幣の鑑別結果に関する情報を、利用者の所持する取引媒体に固有の情報と共に記憶装置に記憶するステップと、真でない又は疑わしいと判別された紙幣に関する情報を中央銀行に送るステップと、中央銀行で行われた紙幣の判別結果を、記憶装置のその紙幣に対応する場所に記憶するステップからなる。
また、上記記憶ステップは、紙幣が預入れられたＡＴＭを特定する情報と共に紙幣の判別結果の情報を記憶装置に記憶することが好ましい。
更に、中央銀行で、真でないと判別された紙幣に関して、記憶装置を参照して該紙幣が扱われたＡＴＭを特定するステップと、特定されたＡＴＭに紙幣を預入れ、鑑別ユニットで再度その紙幣の鑑別を行って紙幣に関する情報を得るステップを有する。
【００１２】
【発明の実施の形態】
以下、本発明の一実施例を、図面を参照して詳細に説明する。
図１は、本発明の一実施例によるＡＴＭの外観を示す斜視図である。ＡＴＭ１の前面中央部には、取引内容を表示する機能および入力するための操作部を備えた操作画面２があり、操作画面２の奥には、利用者が入金、出金等するための紙幣がセットされる入出金口３が設けられている。
【００１３】
図２は、ＡＴＭの内部構成を示す断面図である。
図中の矢印は紙幣の搬送方向を示している。入出金口３へ入金された紙幣４は、内装された分離部ローラ５により一枚ずつに分離される。分離された紙幣は順次搬送されて切替ゲート６を通過し、鑑別ユニット７へ搬送される。鑑別ユニット７では、紙幣の真偽判別と金種判別が行われ、また紙幣に関するデータが採取される。鑑別ユニット７における判別結果及びその結果に基づく処理については後で詳述する。
鑑別ユニット７で判別された紙幣のうち真券と判別されたものは、第１スタッカ１１に一時的に保持される。また真券で無いと判別されたものは第２スタッカ１２に一時的に保持される。第１スタッカ１１及び第２スタッカ１２は例えばローラの挟持により紙幣を保持する機構のものである。ＡＴＭ１の下側部には、紙幣を還流させるために金種別の紙幣を収納する入出金カセット１４、及び真券でないと判別された紙幣であって出金させるべきでないものを収納するリジェクトカセット１３を備える。
【００１４】
図１０はＡＴＭ１の制御ブロックを示す。図２と同様の部分については同一符号を付す。
制御部１６には、入出金口３の駆動機構、紙幣搬送機構１７、鑑別ユニット７、第１スタッカ１１、第２スタッカ１２、紙幣の姿勢変換機構１５、入出金カセット１４、リジェクトボックス１３、が接続される。制御部１６には更に、銀行センタ４０にあるホストコンピュータとのデータの送受信を行う送受信部２２と、ＡＴＭでの取引きに関して顧客操作への案内を表示する操作画面２を有する表示装置と、少なくとも取引きに関する情報を記憶するメモリ１８が接続される。
上記紙幣搬送機構１７は、紙幣の搬送、搬送路上にある切替ゲート、及びこれらの駆動機構を有する。紙幣の姿勢変換機構１５は、紙幣の搬送路に結合されており、紙幣の表裏の反転を行い、及び又は紙幣の前後の反転を行う機構である。
鑑別ユニット７は、紙幣の鑑別処理を行うための鑑別処理部７１を含む。この鑑別処理部７１及び制御部１６は、例えばマイクロプロセッサ又はコンピュータで構成される。
【００１５】
上述のようなＡＴＭの構成において、鑑別ユニット７では通常、紙幣の寸法（縦横）の判定、金種の判定、真偽の判定が行われる。本実施例の特徴として、その判別結果から以下の４種類の紙幣群に分類される。
１．グループ１紙幣：紙幣として認識できなかったもの。（モード１）
寸法が異なるもの、及び寸法が同じであっても折れ曲がったりしているもの。例えば、折れ券や単なる紙切れなど。
２．グループ２紙幣：真券ではないと判別されたもの。（モード２）
寸法の判定結果及び金種の判定結果は許容値内（折れ曲がり無し）であるが、紙幣のセキュリティ情報が無く、真偽判定の結果が許容値外のもの。
３．グループ３紙幣：疑わしき紙幣と判別されたもの。（モード３）
寸法の判定結果及び金種の判定結果は許容値内であり、紙幣のセキュリティ情報は有るが、真偽判定の結果が許容値外のもの。例えば、紙幣の印刷模様のばらつきや紙幣の劣化等によって起こり得る。
４．グループ４紙幣：真券であると判別されたもの。（モード４）
寸法、金種、真偽の判定結果がいずれも許容値内であるもの。
【００１６】
鑑別ユニット７のおける金種判別結果と上述ように４つのモードに分類された結果は、制御部１６へ報告される。制御部１６は、ＡＴＭ内の各種機構の制御を行うが、紙幣の搬送制御を行う機能も有する。鑑別ユニット７での真偽判別結果に従って、以後の紙幣の取扱い制御が異なって来る。それぞれの場合、制御部１６は切替ゲート６、８，９，１０を適宜制御して、紙幣の搬送方向を決定し、各々のモードに合った制御を行う。
【００１７】
以下、図３以降を参照して紙幣の判別結果に基づくそれぞれの制御について詳細に説明する。図３〜図６は、それぞれの処理時における紙幣の搬送制御を詳細に示す図である。
【００１８】
１．モード１紙幣の制御
モード１の紙幣は入出金口３から顧客へ返却される。以下そのための紙幣の制御について説明する。
図３を参照するに、入金された紙幣４が、鑑別ユニット７でモード１の紙幣と判別された場合、その紙幣は順に切替ゲート８、切替ゲート９を通過しながら矢印ａ１，ａ２の方向に搬送される。切替ゲート９を通過した後、紙幣は矢印ａ３方向に送られて入出金口３へ返却される。尚、切替ゲート８は紙幣を搬送方向ａ２，へ搬送し、切替ゲート９は搬送方向ａ３へ搬送するように制御部６から制御されて、切れ替わる。
尚、このモード１の紙幣は返却されるので、顧客の口座は当該紙幣のみは加算されない。因みにこの場合、制御部６に制御されて、操作画面２には例えば「この紙幣は受取れませんので、お返しします。」の旨が表示される。
【００１９】
２．モード２紙幣の制御
モード２の紙幣は顧客へは返却されずに、ＡＴＭ１内の収納部に収納され、後に鑑別ユニット７で詳細な判別が行われることになる。以下そのための紙幣の制御について説明する。
図４を参照するに、入金された紙幣４が、鑑別ユニット７でモード２の紙幣と判別された場合、制御部６によって切替ゲート８、９、１０が切れ替わる。それによって形成された搬送路上を紙幣は矢印ａ１，ａ２，ｂ３，ｂ４の方向に搬送され、切替ゲート１０を通過した後、第２スタッカ１２に一時的に収納される。
第２スタッカ１２は、その顧客の入手金取引が成立するまでの間、当該紙幣を一時的に保持する。そして、取引きが成立した後、その紙幣を順次放出する機能を有する。当該紙幣がすべて第２スタッカ１２に収納された後、顧客の確認のために入金された紙幣の合計金額が操作画面２に表示されることになる。この場合、モード２の紙幣を含めた合計金額は表示されず、モード３、４の紙幣（もし有るならば）の合計金額が操作画面２に表示される。
そして、操作画面２には、例えば「お客さまが入金した紙幣は、事情により受け付けできませんでした。」と言うような案内コメントが表示される。
モード２の紙幣は顧客に返却されず、その後装置内で再鑑別が行われることになる。そのため、操作画面２には、「お客さまが入金した紙幣は、申し訳有りませんが、事情により返却できません。」と言うような案内が表示される。その後、第２スタッカ１２に一次的に保持されている紙幣の放出が開始される。
尚、モード２の場合、ホストコンピュータ（図示せず）の記憶装置のその顧客の口座残高にはこのモード２となった紙幣の金額は加算されない。
【００２０】
３．モード３紙幣の制御
モード３の紙幣は顧客へは返却されずに、ＡＴＭ１内の収納部に収納され、後に鑑別ユニット７で詳細な判別が行われることになる。以下そのための紙幣の制御について説明する。
図５を参照するに、入金された紙幣４が鑑別ユニット７で、モード３と判別された場合、制御部６によって切替ゲート８、９、１０が切れ替わる。それによって形成された搬送路上を、紙幣は矢印ａ１，ａ２，ｂ３，ｂ４の方向に搬送され、切替ゲート１０を通過した後、第２スタッカ１２に一時的に収納される。
紙幣がすべて第２スタッカ１２に収納された後、入金された紙幣の総金額が操作画面２に表示される。表示内容が正しければ、操作画面２上の図示しない確認ボタンを押下することを顧客に促す。確認ボタンが押下された時点で、取引が成立して、一旦保留された紙幣の放出が開始される。このモード３の紙幣の金額は、その顧客の口座に加算される。
上述の説明から理解されるように、モード３とモード２の相違は、判別結果の金額が顧客の口座に加算されるか否か、及び操作画面２の表示である。
【００２１】
４．モード４紙幣の制御
モード４の紙幣は真券であり、後々出金のための紙幣として利用するために還流させて保管しておく。
図６を参照するに、鑑別ユニット７で、紙幣４がモード４と判別された場合、制御部６によって切替ゲート８、９、１０が切れ替わる。それによって形成された搬送路上を、紙幣は矢印ａ１，ａ２，ｂ３，ａ４の方向に搬送され、第１スタッカ１１に収納される。第１スタッカ１１に収納された紙幣は、取引が成立するまで保持され、取引きが成立した場合に、これらの紙幣は順次放出される。
紙幣がすべて第１スタッカ１１に収納された後、入金された紙幣の合計金額が操作画面２に表示される。表示された総金額が正しければ、操作画面２上の確認ボタン（図示せず）を操作することを顧客に促す。確認ボタンが操作されると、その顧客の取引きが成立したものと扱い、第１のスタッカ１１に一旦保持された紙幣の放出が開始される。第１カセットから放出された紙幣は後々出金用の紙幣として利用するために還流される。即ち入金出金カセット１４に搬送されて、保管される。尚、このモード４の紙幣の合計金額はその顧客の口座に加算される。
【００２２】
さて、真券で無い紙幣、及び疑わしき紙幣と判別された紙幣については、最終的はその紙幣は偽造紙幣なのか、或いは本当は真券なのかを確定することが好ましい。そのためにその紙幣の詳細な情報を得ることが必要である。また、その紙幣を使用したＡＴＭの利用者を特定し、紙幣の使用履歴を追跡するのが重要となる。
そこで、モード２，３と判別された紙幣については、鑑別の条件を変えて、紙幣の詳細な情報を取得することが望ましい。以下、モード２，３紙幣の詳細な情報を得るためのいくつかの実施例について説明する。
【００２３】
第２スタッカ１２に収納されたモード２，３の紙幣は順次出されて、切替ゲート１０、９、８、及び鑑別ユニット７を通過し、切替ゲート６を通ってリジェクトカセット１３へ搬送されて、収納される。
モード２，３の紙幣が鑑別ユニット７を通過する際、最初（第一回目に鑑別された）の紙幣の状態に比べて、条件が種々変更された状態で紙幣の詳細な鑑別情報が採取される。
【００２４】
図７は他の実施例によるＡＴＭの内部における紙幣の搬送の様子を示す図である。
この例は、モード２，３と判別された紙幣に関して、鑑別ユニット７において、通常の取引時における紙幣の搬送速度よりも遅い速度で搬送させて、それらの紙幣の鑑別を行い、より詳細な情報を得ようとするものである。
第２スタッカ１２に収納されたモード２，３の紙幣を繰り出し、リジェクトカセット１３に搬送する際、制御部１６は、鑑別ユニット７近辺における紙幣の搬送速度を低速にするように、紙幣搬送機構１７の搬送速度を制御する。そして、対象とする全ての紙幣をリジェクトカセット１３に収納したら、その搬送速度を元の通常の速度に戻すように制御する。
制御部１６は、第２カセット１２から紙幣を繰り出し、紙幣搬送機構１７の切替ゲート１０、９、８及び６を切替て、紙幣の搬送を制御する。
これにより紙幣は、矢印ｃ４，ｃ３，ｂ２の方向に搬送され、鑑別ユニット７を通過して、矢印ｂ１に搬送され、切替ゲート６を通過して、リジェクトカセット１３に搬送されて、収納される。
鑑別ユニット７を紙幣が低速で搬送されながら、より高精度な鑑別情報が得られる。その鑑別情報は制御部１６の制御の下、メモリ１８に転送され、格納される。鑑別情報とは、鑑別ユニット７で鑑別に用いた複数種の画像情報、及び鑑別結果を示すデータである。通常、鑑別ユニット７は光学的イメージセンサや磁気センサを有するので、鑑別情報はそれらのセンサによって得られた情報をデジタル変換したデータである。
この高精度な鑑別情報は、ＡＴＭ１の利用者に固有の情報、例えば口座番号と対応付けてメモリ１８に格納される。勿論、同一利用者による紙幣が複数枚ある場合には、紙幣毎に鑑別情報を取得してメモリ１８に格納される。
尚、紙幣の鑑別情報はメモリ１８には一時的に格納され、一定時間経過後、例えば１日の取引きが終了する度に、メモリ１８内の鑑別情報は送受信部２２を介して銀行センタ４０に送信され、センタにある記憶装置（例えばデータベース）４０２に格納される。この様子については図１１を参照して後述する。
【００２５】
図８は更に他の実施例によるＡＴＭの内部における紙幣の搬送の様子を示す図である。
この例は、モード２，３と判別された紙幣に関して、紙幣変換機構１５で紙幣の姿勢を変更し、その姿勢を変更させた状態の紙幣を鑑別ユニット７へ搬送して、それらの紙幣の鑑別を行い、別のフェーズからの紙幣の鑑別情報を得ようとするものである。
第２スタッカ１２に収納されたモード２，３の紙幣を繰り出し、リジェクトカセット１３に搬送する際、制御部１６は、第２スタッカ１２から繰り出された紙幣の搬送機構１７を制御して、紙幣を姿勢変換機構１５に導く。
姿勢変換機１５は、構紙幣の表裏を反転させる機構と、紙幣の前後を反転させる機構を備える。そして、姿勢が変更された状態の紙幣が再び鑑別ユニット７に案内され、そこで姿勢が変更された後の紙幣の鑑別情報が新たに得られる。
姿勢変換機構１５では、同じ紙幣に対して、その表裏が変更され、かつその前後が変更されるので、合計４つの姿勢が変更された状態を取りえる。その各々の状態の紙幣を４回に渡って鑑別ユニット７に案内して、合計４つの状態の鑑別情報を得る。
【００２６】
図８に示す紙幣の搬送系において、通常の場合には、鑑別ユニット７を通過した紙幣は、切替ゲート６を通過してリジェクトカセット１３へ搬送されるが、この例の場合には、第２スタッカ１２から繰り出された紙幣は、切替ゲート１０、９、８を通るが、鑑別ユニット７を通過した後、切替ゲート６の切替えにより、姿勢変換機構１５へ搬送されるように制御される。
姿勢変換機構１５で姿勢の変換された紙幣は、切替ゲート８を通過して、再び鑑別ユニット７へ搬送され、そこで第１姿勢の紙幣の鑑別情報が取得される。その後、その紙幣は再び矢印ｃ１の方向に搬送されて姿勢変換機構１５で第２の姿勢に変更される。その状態の紙幣は矢印ｂ２方向から再び鑑別ユニット７に案内されて、そこで第２姿勢の紙幣の鑑別情報が得られる。このような動作を繰り返して、第３姿勢及び第４姿勢の紙幣の鑑別情報を得る。
そして最後に第４姿勢の紙幣は矢印ｂ１方向に搬送されて、リジェクトカセット１３に収納される。
前述の実施例と同様に、鑑別ユニット７で取得された、同一紙幣に関して姿勢の変更された４種の紙幣の鑑別情報は、ＡＴＭ１の利用者の口座番号と対応付けてメモリ１８に格納される。勿論、同一利用者による紙幣が複数枚ある場合には、紙幣毎に鑑別情報を取得してメモリ１８に格納される。
本実施例によれば、同一紙幣に関して複数の鑑別情報を得ることができ、これら複数の情報から紙幣の姿勢に依存しない高精度な平均紙幣データを作成することができる。鑑別ユニット７に、紙幣の情報を得るセンサが複数種在る場合、同一紙幣に関してセンサ毎に複数の鑑別情報を得ることができるので、センタ毎に平均紙幣データを作成できる。
【００２７】
図９は更に他の実施例によるＡＴＭの内部における紙幣の搬送の様子を示す図である。
この例は、モード２，３の紙幣に関して、鑑別ユニット７の付近で紙幣を複数回往復させて、紙幣の鑑別情報を複数回にわたって取得する例である。
制御部１６は、第２スタッカ１２から紙幣を繰り出し、鑑別ユニット７の近傍で紙幣を複数回に渡って往復搬送するように、紙幣搬送機構１７を制御する。
即ち、第２スタッカ１２から繰り出された紙幣は、切替ゲート１０、９、８に切替られて、搬送路を矢印ｃ４，ｃ３，ｂ２の方向に搬送されて、鑑別ユニット７に案内され、そこで鑑別される。その後、その紙幣は切替ゲート６の切替えにより矢印ｄ１方向に搬送されて、第４スタッカ２０に一時的に保持される。複数枚の紙幣があるときには第４スタッカには複数枚の紙幣が保持される。
次に第４スタッカ２０に保持されている紙幣は順次放出される。この場合、紙幣は切替ゲート６を通過して、再び鑑別ユニット７へ搬送される。これで、この紙幣は鑑別ユニット７を一往復したことになる。
この紙幣が鑑別ユニット７を通過した後、切替ゲート８で搬送方向をｃ２方向に切替えられて、第３スタッカ１９に案内され、そこに一時的に保持される。複数枚の紙幣があるときには第３スタッカ１９には複数枚の紙幣が保持される。
そして、第３スタッカ１９に一時的に保持された紙幣は、順次放出される。矢印ｂ２方向に搬送されて、再び鑑別ユニット７へ案内される。鑑別ユニット７で再度鑑別情報が得られる。
このように同一紙幣に関して、複数回の鑑別情報が採取された後、その紙幣は矢印ｂ１方向に搬送されてリジェクトカセット１３に収納される。
前述の実施例と同様に、鑑別ユニット７で取得された、同一紙幣に関して複数回に渡って得られた鑑別情報は、ＡＴＭ１の利用者の口座番号と対応付けてメモリ１８に格納される。
【００２８】
本実施例によれば、同一紙幣に関して複数の鑑別情報が得られるので、これらの情報から紙幣の鑑別情報の平均データを作成することができる。平均データを作成することにより、搬送状態等に依存しない高精度な紙幣データを採取することができる。
【００２９】
次に、図１１を参照して、紙幣の情報管理システムについての実施例について説明する。図１１は、ある銀行のシステム３０、４０と中央銀行のシステム５０がネットワークを介して接続される紙幣情報管理システムである。
【００３０】
銀行のシステムは、通常複数の支店３０と本店である銀行センタ４０から構成される。複数の支店３０と銀行センタ４０とはネットワーク又は専用線６０により接続されている。
各支店３０は夫々固有の識別コードが付与されている。一般に支店３０には複数のＡＴＭ３１が備えられ、各ＡＴＭ３１から上述したような紙幣の鑑別情報が得られる。勿論、ＡＴＭ３１に限らず、貨幣を受入れる両替機や預金専用機のような貨幣取引装置が含まれる。これらＡＴＭ３１を含む貨幣取引装置には固有の識別コードが付与される。ＡＴＭ３１で取得された上記の鑑別情報は、支店識別コード及びＡＴＭ識別コードが付されて、ネットワーク６０を介して銀行センタ４０に送信される。
【００３１】
銀行センタ４０は、ホストコンピュータ４１、データベース（ＤＢと言う）４２及びシステム管理用のＰＣ（パーソナルコンピュータ）４３が内部ネットワークに接続されて構成される。ホストコンピュータ４１は銀行システム全体の業務管理のための情報処理を行う他に、銀行の顧客に対するサービスのための情報処理を行う。ＤＢ４２は、紙幣情報管理テーブル記憶部４２１、紙幣画像記憶部４２２、口座情報記憶部４２３を有する。紙幣情報管理テーブル記憶部４２１は、本実施例に特有のものであり、モード２，３と判別された紙幣の情報の管理を行うテーブルを記憶する。テーブル４２１０の詳細については図１２を参照して後述する。紙幣画像記憶部４２２は、テーブル４２１０で管理される紙幣の情報に対応して、紙幣の画像情報を記憶する。この紙幣画像情報は、紙幣の再度の鑑別時に鑑別ユニット７で得られた画像情報であり、後々利用者の追跡のための１つの情報として記憶される。口座情報記憶部４２３は、銀行の顧客の口座番号に対応して残高情報を記憶する。
ＰＣ４３は、銀行システムの業務管理のために使用されると共に、本実施例ではＤＢ４２の紙幣情報の管理及び中央銀行との情報のやり取りのために用いられる。
【００３２】
中央銀行５０は固有の紙幣鑑別機を所有しており、本実施例において銀行から引き渡される、モード２，３と判定された紙幣の詳細な鑑別を行う。システムとしては、内部ネットワークに接続されるホストコンピュータ５１、データベース（ＤＢと言う）５２及びシステム管理用のＰＣ（パーソナルコンピュータ）５３を有して構成される。ホストコンピュータ５１は例えば各銀行との金融情報の送受信及び情報処理を行う。ＤＢ５２は銀行から送られてくる紙幣情報を格納する紙幣情報記憶部５２１、及び紙幣の画像情報を記憶する紙幣画像記憶部５２２を有する。尚、図示していないが、各銀行との間でやり取りする金融情報を記憶するエリアも有する。ＰＣ５３は中央銀行における業務や管理のための情報の入出力操作に用いられる。
【００３３】
次に、図１２を参照して紙幣情報管理テーブル４２１０の詳細について説明する。このテーブル４２１０は、紙幣の利用者を追跡するために必要される情報を記憶する。テーブルの内容としては、モード２，３の紙幣を使用した利用者の口座番号に対応付けて、取引き日付け、時刻、紙幣番号、紙幣の鑑別結果のモード（即ちモード２か３か）、金種、枚数、紙幣画像の有無、支店識別コード、ＡＴＭ識別コード、中央銀行の判別結果、等の情報を含んで構成される。紙幣画像の有無に関して「有」の場合には、紙幣画像記憶部４２２にその画像情報が記憶されているので、この有無欄には、記憶部４２２の当該画像を同定する情報、例えば画像検索アドレスが格納される。中央銀行の判別結果欄は、当該紙幣に関して、中央銀行で鑑別を行った結果が格納される。例えば、真券と判別されればモード４を表す情報が記憶される。
【００３４】
ＡＴＭ１でモード２，３の紙幣の鑑別情報が得られると、その情報はその都度、銀行センタ４０に送られ、ＤＢ４２のテーブル４２１０に登録される。また、銀行の一日の取引きが終了すると預貯金残高が集計されるが、それに応じてモード２，３の紙幣についても取りまとめられ、中央銀行に引き渡される。中央銀行で受領した紙幣の鑑別を行う。
【００３５】
中央銀行１００で、真券でないと判別された紙幣は送付元の銀行に戻される。銀行では、ＤＢ４２の紙幣情報管理テーブル４２１０を参照して、利用者が特定できる。更に利用日時、使用したＡＴＭ、及びその紙幣の画像情報までも特定できる。
【００３６】
また、紙幣情報管理テーブル４２１０を参照して、その紙幣が使用されたＡＴＭ１を特定できるので、その紙幣を再度、同じＡＴＭ１に投入してその鑑別結果を得ることができる。最終的に「真券でない」と判定されたこの紙幣から採取された鑑別情報を、「真券でない」紙幣の照合対象となる平均紙幣データとして保管しておくことができる。
【００３７】
同じ紙幣でありなら、異なるＡＴＭの鑑別ユニット７から夫々採取された紙幣情報は、必ずしも同じになるとは限らず、少なからずＡＴＭに依存する。即ち鑑別ユニット７のセンサも、ＡＴＭごとに微妙に感度が相違し、設置されるＡＴＭに依存することがある。従って、中央銀行から返却された紙幣を、その紙幣が当初入金されたＡＴＭに投入して、そのＡＴＭでその紙幣情報を取得した方が、他のＡＴＭから紙幣情報を得たり、平均紙幣情報を用いるよりも、一層高精度の紙幣情報を取得できると言える。その紙幣情報を用いることによりその紙幣を使用した利用者をより高精度な情報に基づいて追跡できる。
【００３８】
以上、本発明のいくつかの実施例について説明したが、本発明は上述の実施例に限定されず、他にも種々変形、代案が考えられる。
【００３９】
例えば、上述の実施例で、モード２，３の紙幣は、最終的には１つのリジェクトカセット１３へ収納されるが、他の例では、出金に適さないモード２，３と判別された紙幣を収納するリジェクトカセット１３は、モード２紙幣を収納するためのカセットと、モード３紙幣を収納するためのカセットを夫々別に分けて設けてもよい。分けておけば、モード２，３に応じて後々紙幣を分ける手間が省ける。
【００４０】
また、上記実施例において、再鑑別時には、紙幣の側の姿勢や搬送速度、搬送形態を変えて、再度の鑑別を行い、紙幣情報を得ているが、変形例では鑑別ユニット側の制御パラメータを変えて再鑑別を行うようにしてもよい。例えば紙幣の画像を得るセンサの制御電圧レベルを予め設定した複数段階に切り替えて、再鑑別してもよい。
【００４１】
また本発明は紙幣に限らず、硬貨を含む貨幣の鑑別に基づく情報管理にも適用できる。
【００４２】
【発明の効果】
本発明によれば、真券でない又は疑わしいと判別された貨幣に関して詳細な情報を得ることができる。また、その貨幣に関する情報を利用者と関連付けて記憶しておくことにより、例えばその貨幣を使用した者を特定するためにも使用でき得る。
【図面の簡単な説明】
【図１】本発明の一実施例によるＡＴＭの外観を示す斜視図である。
【図２】一実施例によるＡＴＭの内部構成を示す断面図である。
【図３】ＡＴＭの内部における紙幣の搬送の様子を示す図である。
【図４】ＡＴＭの内部における紙幣の搬送の様子を示す図である。
【図５】ＡＴＭの内部における紙幣の搬送の様子を示す図である。
【図６】ＡＴＭの内部における紙幣の搬送の様子を示す図である。
【図７】他の実施例によるＡＴＭの内部における紙幣の搬送の様子を示す図である。
【図８】他の実施例によるＡＴＭの内部における紙幣の搬送の様子を示す図である。
【図９】他の実施例によるＡＴＭの内部における紙幣の搬送の様子を示す図である。
【図１０】ＡＴＭ１の制御ブロックを示す図である。
【図１１】一実施例による紙幣の情報管理システムの概略的な構成を示す図である。
【図１２】銀行センタのＤＢ１０２における紙幣情報管理テーブルのフォーマットを示す図である。
【符号の説明】
１、３１  ＡＴＭ
２  操作画面
３  入出金口
４  紙幣
５  分離ローラ
６．８．９．１０．切替ゲート
７  鑑別ユニット
１１  第１スタッカ
１２  第２スタッカ
１３  リジェクトカセット
１４  入金出金カセット
１５  姿勢変換機構
１６  制御部
１７  紙幣搬送機構
１８  メモリ
１９  第３スタッカ
２０  第４スタッカ
３０  支店
６０  ネットワーク
４０  銀行センタ
４１  ホストコンピュータ
４２  ＤＢ
４３  ＰＣ
４２１  紙幣情報管理テーブル記憶部
４２１０  紙幣情報管理テーブル２
４２２  紙幣画像記憶部
４２３  口座情報記憶部
５０  中央銀行
５２１  紙幣情報記憶部
５２２  紙幣画像記憶部。
【図１】
2004295782.tif 000003
【図２】
2004295782.tif 000004
【図３】
2004295782.tif 000005
【図４】
2004295782.tif 000006
【図５】
2004295782.tif 000007
【図６】
2004295782.tif 000008
【図７】
2004295782.tif 000009
【図８】
2004295782.tif 000010
【図９】
2004295782.tif 000011
【図１０】
2004295782.tif 000012
【図１１】
2004295782.tif 000013
【図１２】
2004295782.tif 000014